(57)【要約】      （修正有）【課題】必要時のみ眼覆い部材をマスク本体に取り付けて、眼を粉塵などから保護することができるようにしたマスクを提供する。【解決手段】マスク本体１と、マスク本体１の上部に着脱可能に取り付けられた、光透過性の薄板からなる眼覆い部材２とを備えている。眼覆い部材２は、着用時に眼の前面に位置する眼覆い本体部３の両側に、折曲げ線５を介して張出し部４が形成され、折曲げ線から張出し部を内側に折曲げて眼の側方を覆うようにする。【選択図】図２
0003165625.tif 000002
【実用新案登録請求の範囲】
【請求項１】
マスク本体と、
該マスク本体の上部に着脱可能に取り付けられた、光透過性の薄板からなる眼覆い部材とを備えたことを特徴とするマスク。
【請求項２】
前記眼覆い部材は、着用時に眼の前面に位置する眼覆い本体部の両側に、折曲げ線を介して張出し部が形成され、該折曲げ線から前記張出し部を内側に折曲げて眼の側方を覆うようにしたことを特徴とする請求項１記載のマスク。
【請求項３】
前記眼覆い部材は、日差しを防ぐ色つき薄板で構成されたことを特徴とする請求項１又は２記載のマスク。
【考案の詳細な説明】
【技術分野】
【０００１】
本考案は、着脱可能の眼覆い部材を備えたマスクに関する。
【背景技術】
【０００２】
従来、マスク本体の表面を覆うマスクカバー本体部に、透光性を有する可撓性フィルムからなる眼覆い部を連接した構成のマスクカバーが開示されている（例えば特許文献１を参照）。
【先行技術文献】
【特許文献】
【０００３】
【特許文献１】特開２００７−６８８９２号公報
【考案の概要】
【考案が解決しようとする課題】
【０００４】
特許文献１のようなマスクカバーは、眼覆い部はマスク本体に装着されているマスクカバーと一体に形成されているため、常に眼覆い部材がマスク本体に取り付けられた状態であり、眼覆い部が不要な場合でもマスク本体から取り外すことができないため、マスク全体が重たくなり、使用感が悪くなるという問題があった。
【０００５】
本考案は、上記課題を解決したもので、必要時のみ眼覆い部材をマスク本体に取り付けて、眼を粉塵などから保護することができるようにしたマスクを提供することを目的とする。
【課題を解決するための手段】
【０００６】
上記課題を解決するため、請求項１記載のマスクは、マスク本体と、該マスク本体の上部に着脱可能に取り付けられた、光透過性の薄板からなる眼覆い部材とを備えたことを特徴とするものである。
【０００７】
請求項２記載のマスクは、請求項１記載のマスクであって、前記眼覆い部材は、着用時に眼の前面に位置する眼覆い本体部の両側に、折曲げ線を介して張出し部が形成され、該折曲げ線から前記張出し部を内側に折曲げて眼の側方を覆うようにしたことを特徴とするものである。
【０００８】
請求項３記載のマスクは、請求項１又は２記載のマスクであって、前記眼覆い部材は、日差しを防ぐ色つき薄板で構成されたことを特徴とするものである。
【考案の効果】
【０００９】
本考案によれば、眼覆い部材の着用により粉塵などから眼を保護することができるとともに、不要時はマスク本体から取り外して、通常のマスクとして使用することができる。
【図面の簡単な説明】
【００１０】
【図１】本考案のマスクの実施形態を示す、眼覆い部材分離状態の正面図である。
【図２】本考案のマスクの実施形態を示す、眼覆い部材取付け状態の正面図である。
【図３】マスク本体の裏面図である。
【図４】図２のＡ−Ａ線断面図である。
【図５】使用状態の断面図である。
【図６】使用状態の斜視図である。
【考案を実施するための形態】
【００１１】
以下、本考案の一実施形態を図面に基づいて説明する。
図１は、本考案のマスクの実施形態を示す、マスク本体と眼覆い部材の分離状態の正面図、図２は、マスク本体に眼覆い部材を取り付けた状態の正面図、図３は、マスク本体の裏面図、図４は、図２のＡ−Ａ線断面図である。
【００１２】
各図において、１は、マスク本体、２は、マスク本体１に着脱可能に取り付けられた眼覆い部材である。まず、マスク本体１について説明する。
【００１３】
本実施形態のマスク本体１は、防塵マスクとして使用される立体マスクの例を示している。各図に示すように、このマスク本体１は、横長の長方形状に形成された表面部材１０と、表面部材１０の裏面の上部に配置された上部裏面部材１１と、裏面の下部であって、上部裏面部材１１の内側に配置された下部裏面部材１２と、表面部材１０の表面の上下の左右側部に両端を固定された装着用のバンド１３、１４と、表面部材１０の略中央に配置された呼気弁２０とを備えている。表面部材１０、上部裏面部材および下部裏面部材１１の外周縁はミシン目１５によって縫い合わされている。上部裏面部材１１は下部裏面部材１２に重ね合わされ、上部裏面部材１１の下端の内面には、クッション材からなるノーズピース１８が設けられている。
【００１４】
次に、呼気弁２０について説明する（図４参照）。呼気弁２０は、外部材２１と内部材２２の二つの部材からなり、内部材２２を表面部材１０の背面に配置し、内部材２２の前面にフィルタ２３を介在させて外部材２１を内部部材２２の外側に嵌合させ、外部材２１を表面部材１０の表面に配置し、外部材２１と内部材２２により表面部材１０を挟持させている。なお、外部材２１および内部材２２は合成樹脂の成形品である。
【００１５】
内部材２２は、表面部材１０の穴に挿入される筒部２４の底部に、放射片２５で連結された基部２６を有し、この基部２６を裏面部材１１に当てている。外部部材２１は、表面部材１０に当てた円盤状の基部２７に、上部片２８と下部片２９とで前部円盤３０を間隔をおいて連結したもので、上部片２８と下部片２９を筒部２４に嵌合させている。呼吸すると、両側の隙間３１（図２参照）から前部円盤３０とフィルタ２３の間に空気が出入りし、フィルタ２３を介して空気が出入りするようになっている。
【００１６】
眼覆い部材２は、透明なプラスチック薄板からなり、長方形の本体部３の左右に張出し部４を有し、本体部３の左右に形成した折曲げ線５から張出し部４を内側に折曲げできるようになっている。この眼覆い部材２の下端両側に雄又は雌のホック６が設けられ、表面部材１０の上端両側に設けられた雌又は雄のホック７が設けられ、このホック６、７を介して眼覆い部材２をマスク本体１に着脱可能に取り付けすることができるようになっている。
【００１７】
図５は、使用状態の断面図、図６は、使用状態の斜視図である。マスク本体１の着用時は、図５に示すように、上部裏面部材１１を上方に折曲げて、ノーズピース１８を鼻に当て、下部裏面部材１２を顎の下に当て、バンド１３、１４を後頭部にかけて着用する。
【００１８】
マスク本体１と眼覆い部材２を同時に使用する場合は、眼覆い部材２をホック６、７でマスク本体１に取り付けておき、上記のようにマスク本体１を着用すると、図５、図６に示すように、眼覆い部材２により眼およびその周辺部が覆われ、粉塵等から眼を保護することができる。眼覆い部材２の折曲げ線５から張出し部４を内方に折曲げることにより、顔の側部を覆い、側部から粉塵等が吹き込んで眼に入るのを防止することができる。天候が穏やかで、粉塵等のおそれがない場合は、眼覆い部材２をホック６，７から取り外し、マスク本体１だけ使用することができる。
【００１９】
このように、本考案のマスクは、マスク本体１に眼覆い部材２を着脱可能に取り付けたので、眼覆い部材２の不要時は、マスク本体１のみで普通のマスクとして使用し、花粉などの粉塵の多いときは、眼覆い部材２を取り付けて眼の保護を行うことができる。
【００２０】
上記実施形態では、眼覆い部材２は透明部材で構成しているが、サングラスのような色つきの部材で構成し、太陽光線からの眼の保護に使用することも可能である。眼覆い部材２のマスク本体１への取り付けは、図示のようなホック６、７のほか、面ファスナやマグネット片を用いてもよい。
なお、上記実施形態では、マスク本体１として呼気弁２０付きの立体マスクを使用する例を示したが、呼気弁２０のない通常のマスクにも適用可能である。
【符号の説明】
【００２１】
１  マスク本体
２  眼覆い部材
３  眼覆い部材本体
４  張出し部
５  折曲げ線
６  ホック
【図１】
0003165625.tif 000003
【図２】
0003165625.tif 000004
【図３】
0003165625.tif 000005
【図４】
0003165625.tif 000006
【図５】
0003165625.tif 000007
【図６】
0003165625.tif 000008